(57)【要約】      （修正有）【課題】情報機器の液晶表示画面に貼付して液晶表示画面の疵つきを防止し、さらに液晶表示画面の表示画像を正面から見ている使用者にはその表示画像が見えるが斜め方向から見る他人には見え難くして機密を保持しうる液晶画面保護フィルムを提供する。【解決手段】表面２ａにすりガラス状の微小な凹凸面３で形成のつや消し面からなる画像あるいは多数の微細なドット状の凹凸面における乱反射４ｂからなる画像を、部分的に有する平滑なＰＥＴ（ポリエチレン  テレフタレート）硬質薄板の透明プラスチックフィルム基盤２からなる液晶表示画面６を具備する情報機器５の当該液晶表示画面６の表示内容の機密保持用の模様付き液晶画面保護フィルム１である。【選択図】図１
0003185086.tif 000002
【実用新案登録請求の範囲】
【請求項１】
すりガラス状の微小な凹凸面（３）で形成された画像（４）を部分的に表面（２ａ）に有する平滑な透明プラスチックフィルム基盤（２）からなることを特徴とする液晶表示画面（６）を具備する情報機器（５）の当該液晶表示画面（６）の表示内容の機密保持用の模様付き液晶画面保護フィルム（１）。
【請求項２】
すりガラス状の微小な凹凸面（３）で形成された画像（４）は、平滑な透明なプラスチックフィルム基盤（２）の表面（２ａ）に形成の多数の微小のドット状の凸面からなる画像（４）であることを特徴とする請求項１に記載の液晶表示画面（６）を具備する情報機器（５）の当該液晶表示画面（６）の表示内容の機密保持用の模様付き液晶画面保護フィルム（１）。
【請求項３】
平滑な透明プラスチックフィルム基盤（２）はＰＥＴ硬質薄板であることを特徴とする請求項１または２に記載の液晶表示画面（６）を具備する情報機器５の当該液晶表示画面６の表示内容の機密保持用の模様付き液晶画面保護フィルム（１）。
【考案の詳細な説明】
【技術分野】
【０００１】
この考案は、スマートフォンやその他の携帯情報端末あるいはパソコン等の情報機器の液晶画面の内容の機密性を保護するために、情報機器の液晶画面の表面に貼付して使用する、擦りガラス状の模様を表面に形成して有する厚さの薄い透明なプラスチック製の液晶画面保護フィルムに関する。
【背景技術】
【０００２】
携帯電話、携帯情報端末、携帯ゲーム情報機器、携帯音楽再製機器、携帯電子辞書、車載モニター及びノート型パソコンあるいはデジタルカメラなどの情報機器は、これら情報機器自体からの情報を表示するために、またはこれらの情報機器の操作の便宜のために、液晶の表示画面を有している。
【０００３】
ところで、これらの液晶の表示画面の表面層がガラスパネルあるいは硬質プラスチックパネルなどの表示画面の場合、出荷時に保護フィルムを付着しているが、使用する際にはこれらの保護フィルムを剥がしとるものとしている。
【０００４】
ところで、携帯電話や、携帯情報端末や、携帯ゲーム機器や、携帯電子辞書あるいは電子カメラ等の場合、これら情報機器の表示画面は液晶パネルの画面となっており、これらの液晶パネルはプラスチック製であるので疵つき易い問題がある。そこで、液晶パネル画面が使用時に疵つくことを防止するために、透明な保護フィルムをこれらの液晶パネル画面上に貼付して液晶パネル画面を保護している。この貼付は接着剤等で接着するのと異なり、液晶パネル画面の平面の上に保護フィルムの平面を密接して載置することで、両面間に空気や異物を含ませなくして、保護フィルムと透明な液晶パネル画面とを外気圧によって付着させている。
【０００５】
ところで、従来の技術として、携帯電話、携帯情報端末、携帯ゲーム機器、携帯音楽再製機器、携帯電子辞書、車載モニター及びノート型パソコンなどの各種情報機器の液晶表示画面やプラズマ表示画面やＥＬ表示画面等のパネル画面を保護するために、これらのパネル画面に貼付する表示画面保護用の立体印刷シートが発明として提案されている（例えば、特許文献１参照。）。この提案の発明は、スクリーン板を用いる、立体的盛り上がり用のＵＶオフセット印刷機でシアン、マゼンタ、イエロー及びブラックのレギュラー４色ならびに白色のフルカラー分解色の使用により、ＰＥＴフィルム等の柔軟な素材に、立体的厚盛りＵＶ印刷によって立体印刷画像を印刷して形成する。この印刷されたＰＥＴフィルム等の素材を、それぞれの情報機器の表示画面の大きさにトムソン抜き型で抜いて表示画面保護用立体圧盛りシートとする。次いで、この表示画面保護用立体圧盛りシートを各情報機器の液晶画面に貼付して当該液晶画面を保護している。しかし、特許文献１には、上記した情報機器の各表示画面の表示内容が、表示画面上に貼付した画面保護用シートの立体印刷のカラー画像である。この表示画面保護用立体印刷シートはカラー色、特に白色で立体印刷されたものであるので、情報機器の液晶表示画面が暗い場合でも明るい場合でも、表示画面保護用立体印刷シートのカラー印刷のカラー色特に白色印刷による白色の画面により情報機器の液晶表示画面が妨害されて、その液晶表示画面の内容が見えにくくなっている。
【０００６】
また、従来の技術として、スマートフォンの液晶画面の表面に貼り付けて、スマートフォンの液晶を保護する液晶画面保護フィルムがある。これはスマートフォンの内部光源のオフ時に液晶画面上に貼付した液晶画面保護フィルムに形成された絵柄が見えるとされる「絵柄が浮き出るデザイン保護フィルム」なるスマートフォン用の液晶画面保護フィルムとして知られている（例えば、非特許文献１参照。）。しかし、この液晶画面保護フィルムは保護フィルムの表面に白色のドットで描いた画像が印刷されて形成されいる。ところで、この保護フィルムを貼付したスマートフォンの液晶画面では、印刷された白色の多数のドットからなる画像が、スマートフォンを操作している本人の正面から見えるだけでなく、他人が斜め方向から見ても見えてしまう。さらに、スマートフォンの液晶画面に貼付した液晶画面保護フィルムに印刷された白色の多数のドットからなる画像がスマートフォンの内部光源のオン時にも見える。したがって、この液晶画面保護フィルムをスマートフォンの液晶画面に貼付した場合、スマートフォンから発する情報である文字や図柄の画像が貼付した保護フィルムの白色のドットからなる絵柄の画面で邪魔されて見えにくい。
【先行技術文献】
【特許文献】
【０００７】
【特許文献１】特開２０１１−１９７９９０号公報
【非特許文献】
【０００８】
【非特許文献１】ＲＡＳＴＡ  ＢＡＮＡＮＡ  ＤＩＲＥＣＴ、絵柄が浮き出るデザイン保護フィルム、［online］、平成２４年、［平成２５年５月７日検索］、インターネット〈URL：http://rbdirect.jp/rb/user_data/packages/default/product_images/4582429450322_1.jpg〉
【考案の概要】
【考案が解決しようとする課題】
【０００９】
本考案が解決しようとする課題は、液晶表示画面を有する情報機器の使用者自身が使用中の情報機器の内部光源の点灯時であるオン時の液晶表示画面の明るい時、液晶表示画面を正面から見る場合、邪魔されることなく液晶表示画面の表示画像が良好に見えるものとし、しかし使用者の周囲にいる人が当該液晶表示画面を斜め方向から覗き見した場合、邪魔されて当該液晶表示画面の表示画像が見えにくくする、当該液晶表示画面の表示画像の機密性を保つものとする液晶画面保護フィルムを提供することである。
【課題を解決するための手段】
【００１０】
本考案の課題を解決するための手段の、第１の手段は、すりガラス状の微小な凹凸面３で形成された画像４を部分的に表面２ａに有する平滑な透明プラスチックフィルム基盤２からなることを特徴とする液晶表示画面６を具備する情報機器５の当該液晶表示画面６の表示内容の機密保持用の模様付き液晶画面保護フィルム１である。
【００１１】
第２の手段は、すりガラス状の微小な凹凸面３で形成された画像４は、平滑な透明なプラスチックフィルム基盤２の表面２ａに形成の多数の微小のドット状の凸面からなる画像４であることを特徴とする第１の手段の液晶表示画面６を具備する情報機器５の当該液晶表示画面６の表示内容の機密保持用の模様付き液晶画面保護フィルム１である。
【００１２】
第３の手段は、平滑な透明プラスチックフィルム基盤２はＰＥＴ（すなわち、ポリエチレン・テレフタレート）硬質薄板であることを特徴とする第１または２の手段の液晶表示画面６を具備する情報機器５の当該液晶表示画面６の表示内容の機密保持用の模様付き液晶画面保護フィルム１である。
【考案の効果】
【００１３】
本考案は第１の手段の機密保持用の模様付き液晶画面保護フィルムは、すりガラス状の微小な凹凸面により形成された画像を部分的に表面に有する平滑な透明なプラスチックフィルム基盤からなっているので、この画像を部分的に有する平滑な透明なプラスチックフィルム基盤を情報機器の平滑な液晶表示画面の全面に載置することで、模様付き液晶画面保護フィルムと情報機器の液晶表示画面は、これらの間に空気層を含まない重ね合わせ層で密着されて、情報機器の液晶表示画面は模様付き液晶画面保護フィルムで保護される。この場合、機密保持用の画像を部分的に有する模様付き液晶画面保護フィルムは、平滑な透明プラスチックフィルム基盤の表面が様々な方向に向いた微小な凹凸面となっているので、保護フィルムの表面の上方から射してくる光の一部は模様付き液晶画面保護フィルムの表面の様々な方向に向いた微小な凹凸面により様々な方向へ反射され、この反射によって生じる濃淡から画像が形成されて見える。
【００１４】
第２の手段の機密保持用の模様付き液晶画面保護フィルムは、例えば、研磨剤の吹き付けによる部分的なつや消し面からなる画像で容易に形成でき、第３の手段は例えば、ＰＥＴもしくは他の透明な熱可塑性樹脂の透明な粘りのある多数の微小なドット状の凸面からなる画像を、ＰＥＴ硬質薄板に形成して固化することにより、容易に形成できる。この模様付き液晶画面保護フィルムはその表面で、上方から射してくる光の一部は、様々な方向に向いた微小な凹凸面あるいはドット状の凸面によって、様々な方向へ反射され、この表面の反射により生じる反射光の濃淡から模様付き液晶画面保護フィルムの模様である画像が形成されて見えることとなる。
【００１５】
これらの機密保持用の模様付き液晶画面保護フィルムを情報機器の平滑な液晶表示画面の全面に付着した当該情報機器では、内部情報に応じて貼付した液晶表示画面の輝度が変る。しかし、当該情報機器に内部情報が無い場合、液晶表示画面の光源はオフ状態で消えているので、液晶画面は暗くなっている。この場合、機密保持用の模様付き液晶画面保護フィルムに描かれている画像の模様は暗い画面の中で見えている。そして、正面から見る使用者およびその周囲の人が当該液晶画面を斜めから覗き見をした際にも共に機密保持用の模様付き液晶画面保護フィルムに描かれている画像の模様は見えている。
しかし、情報機器に内部情報があって液晶表示画面の光源がオンされている時は、該情報機器の使用者の正面では、液晶表示画面は内部の光源によって、内部情報に応じた輝度の明るさの光が液晶表示画面に貼付した保護フィルムの画像の模様の部分を直進して透過することで、平滑な透明プラスチックフィルム基盤のすりガラス状の微小な凹凸面で形成された保護フィルムの画像の模様が液晶表示画面の明るさに負けて見えなくなり、情報機器の液晶表示画面の情報が使用者には誤りなく判読できることとなる。この場合でも、当該情報機器を斜め方向から覗き見をしている人には、情報機器画面に貼付された模様付き液晶画面保護フィルムの微小な凹凸面あるいはドット状の凸面の模様によって情報機器の内部情報が種々の方向に屈折されて乱れた画像となるので、斜めから見ている人には内部情報の判読ができなくなる。さらに外部から射す光の一部が模様付き液晶画面保護フィルムの微小な凹凸面あるいはドット状のつや消し面における乱反射により種々の方向に反射されるので、上記の屈折されて乱れた画像がさらに見えにくくなる。その結果、この情報機器を斜め方向から覗き見している人には、当該情報機器の内部情報は判読できないので、使用者にとって情報の機密が保持されるので心強い。
【図面の簡単な説明】
【００１６】
【図１】本考案の機密保持用の模様付き液晶画面保護フィルムを貼付した情報機器の液晶表示画面の内部光源のオン時の模式的拡大断面図。
【図２】本考案の機密保持用の模様付き液晶画面保護フィルムを貼付した情報機器の液晶表示画面の内部光源のオフ時の模式的拡大断面図。
【図３】本考案の表面にすりガラス状の微小な円形凹凸面によるつや消しされた画像を部分的に有する平滑な透明プラスチックフィルム基盤からなる機密保持用の模様付き液晶画面保護フィルムの模式的平面図。
【考案を実施するための形態】
【００１７】
本考案について図面を参照して以下に順次説明する。先ず、通常、液晶表示画面６を具備する情報機器５の当該液晶表示画面６に液晶画面保護フィルムを貼付して、情報機器５の当該液晶表示画面６に疵などが形成されることを防止している。ところで、この液晶画面保護フィルムは、ＰＥＴ（ポリエチレン・テレフタレート）硬質薄板であり、平滑な透明プラスチックフィルム基盤２に過ぎず、情報機器５の液晶表示画面６に疵などが付かないように保護する機能の点で優れているが、それだけのものである。しかしながら、これらの液晶画面保護フィルムとしては、上記した特許文献１や非特許文献１のような画像が描かれた液晶画面保護シートあるいは液晶画面保護パネルも知られている。
【００１８】
ところで、前者の特許文献１では、情報機器５の液晶表示画面６の表示内容が、液晶表示画面６の上に貼付した画面保護用立体シートの立体印刷されたカラー画像によって妨害されることなく、表示できるかどうかについては全く記載されてない。しかし、この表示画面保護用立体印刷シートはカラー特に白色で立体印刷されたものであるので、情報機器自体が表示する表示画面の内容が、表示画面保護用立体印刷シートの白色の立体印刷された画面により妨害されて見えにくいものと思われる。さらに、後者の非特許文献１では、保護フィルムに印刷された白色のドットからなる絵柄が、この保護フィルムを貼付したスマートフォンを操作している本人に正面から見えるだけでなく、斜め方向から覗く他人にも見えてしまう。すなわち、このようにスマートフォンの液晶表示画面６に貼付した液晶画面保護フィルムの白色のドットの絵柄はスマートフォンの内部光源７のオン時に、正面のみならず斜め方向からも見えるので、スマートフォンの情報である文字や図柄が貼付した保護フィルムの白色のドットからなる絵柄で邪魔されて見えにくいと思われる。
【００１９】
しかし、上記した着色された液晶画面保護フィルムである液晶画面保護シートあるいは液晶画面保護パネルと異なって、本考案の機密保持用の模様付き液晶画面保護フィルム１は、平滑な透明プラスチックフィルム基盤２の表面２ａをすりガラス状の様々な方向に向いた微小な凹凸面３により画像４を描いて形成されたものである。そこで、タブレットなどの携帯情報端末、携帯電話、携帯ゲーム機器、携帯電子辞書あるいは電子カメラなどの情報機器５が具備する液晶表示画面６の上に、その液晶表示画面６の大きさの上記の機密保持用の模様付き液晶画面保護フィルム１を貼付した場合、これらの情報機器５の不使用時には、図２に示すように、情報機器５の液晶表示画面６のオフ時の内部光源７ｂが消えており、液晶表示画面６が暗らくなっているので、模様付き液晶画面保護フィルム１に描かれているすりガラス状の様々な方向に向いた、図３に示す、微小な凹凸面３からなる画像４である機密保持用の模様が模様付き液晶画面保護フィルム１の表面２ａで反射され見えることとなって趣のある情報機器５の表面５ａとなっている。
【００２０】
一方、これらの情報機器５、例えばスマートフォンの使用時には、図１に示すように、情報機器５であるスマートフォンの液晶表示画面６のオン時の内部光源７ａとなっているので、液晶表示画面６がオン時の内部光源７ａで明るくなって、その明るい画面の中に文字や画像の表示内容が表示されている。この場合、液晶表示画面６の内部光源７からの明るい光８が模様付き液晶画面保護フィルム１に対して垂直に直進して情報機器５の使用者の目に入ることとなる。したがって、機密保持用の模様付き液晶画面保護フィルム１にすりガラス状の様々な方向に向いた微小な凹凸面３から形成された画像４は液晶表示画面６の真正面の使用者には見えにくい。この場合でも、情報機器５であるスマートフォンの液晶表示画面６を斜め方向から覗き見している人には、液晶表示画面６の内部光源７の明るい光による文字や画像の画面情報が模様付き液晶画面保護フィルム１の下面の斜め方向から模様付き液晶画面保護フィルム１に浸入してくることとなるので、模様付き液晶画面保護フィルム１の表面２ａに形成されている様々な方向に向いた微小な凹凸面３によって様々な方向に屈折されることとなり、したがって液晶表示画面６の文字や画像の表示内容を見ることができにくい。しかも、斜めから覗き見をしている人には模様付き液晶画面保護フィルム１に描かれているすりガラス状の様々な方向に向いた微小な凹凸面３からなる画像４である機密保持用の模様が見えることとなる。したがって、本考案の機密保持用の模様付き液晶画面保護フィルム１は優れた情報の漏出防止機能を有している。
【００２１】
上記した本考案の機密保持用の模様付き液晶画面保護フィルム１は平滑な透明プラスチックフィルム基盤２をＰＥＴ硬質薄板からなるものとし、例えば、このＰＥＴ硬質薄板の表面２ａに研磨剤である微小粒を部分的に吹き付けることで、つや消しガラス状の文字や画像４からなる模様を有する機密保持用の模様付き液晶画面保護フィルム１を形成することができる。
【００２２】
さらに、本考案の機密保持用の模様付き液晶画面保護フィルム１は、例えば、多数の微細なドット状の凹凸面からなる文字あるいは画像４を刻印した金型を加熱しておき、この金型で熱可塑性樹脂であるＰＥＴ硬質薄板の平滑で透明なプラスチックフィルム基盤２の表面２ａを加圧成形することで、表面２ａに多数の微細なドット状の凹凸面からなる文字や画像４を有する透明なプラスチックフィルム基盤２を形成することができる。
【００２３】
さらに、本考案の機密保持用の模様付き液晶画面保護フィルム１は、例えば、透明なＰＥＴ樹脂フィルムに透明な樹脂を微細なドット状の凹凸面からなる文字や図形４として印刷することで、表面２ａに多数の微細なドット状の凹凸面からなる文字や画像４を有する透明なプラスチックフィルム基盤２として形成することができる。
【００２４】
この様にして形成した機密保持用の模様付き液晶画面保護保護フィルム１は、各種の情報機器５の不使用時の情報機器５の液晶表示画面６が内部光源７のオフ時で暗らい時にも液晶表示画面６に趣のある文字や画像４が見れるならば、これらの各種の機器を所有しあるいは携帯ること自体が楽しく感じられる。また、これらの文字や画像４などによって機密保持用の模様付き液晶画面保護保護フィルム１に広告機能を持たせることもできる。
【符号の説明】
【００２５】
１  模様付き液晶画面保護フィルム
２  平滑な透明プラスチックフィルム基盤
２ａ  表面
３  微小な凹凸面
４  画像
４ａ  つや消し面
４ｂ  つや消し面における乱反射
４ｃ  つや消し面における屈折
５  情報機器
５ａ  表面
６  液晶表示画面
７  内部光源
７ａ  オン時の内部光源
７ｂ  オフ時の内部光源
８  光
【図１】
0003185086.tif 000003
【図２】
0003185086.tif 000004
【図３】
0003185086.tif 000005